(57)【要約】【課題】容易かつ正確にオーバーハングの調整が可能なヘッドシェルを提供する。【解決手段】レコードプレーヤのトーンアームのコネクタに着脱可能で、ピックアップカートリッジを保持するヘッドシェルであって、コネクタに着脱可能なシリンダ２０と、シリンダに保持されるヘッドシェル本体１０と、ヘッドシェル本体をシリンダに固定可能な固定ねじ５０と、を有してなり、シリンダは、円筒状のシリンダ外周面２３ａと、シリンダ外周面に、シリンダの軸方向に沿って配置される溝２３ｂと、を備え、シリンダの周方向において、固定ねじと溝との間には、隙間Ｇ１，Ｇ２が形成される、ことを特徴とする。【選択図】図１０
2020184390.tif 000002
【特許請求の範囲】
【請求項１】
レコードプレーヤのトーンアームのコネクタに着脱可能で、ピックアップカートリッジを保持するヘッドシェルであって、
前記コネクタに着脱可能なシリンダと、
前記シリンダに保持されるヘッドシェル本体と、
前記ヘッドシェル本体を前記シリンダに固定可能な固定ねじと、
を有してなり、
前記シリンダは、
円筒状のシリンダ外周面と、
前記シリンダ外周面に、前記シリンダの軸方向に沿って配置される溝と、
を備え、
前記固定ねじの一部は、前記溝の内側に配置され、
前記シリンダの周方向において、前記固定ねじと前記溝との間には、隙間が形成される、
ことを特徴とするヘッドシェル。
【請求項２】
前記ヘッドシェル本体は、前記シリンダに対して、前記周方向に回転可能で、
前記回転の範囲は、前記固定ねじが前記溝に当接することにより、制限される、
請求項１記載のヘッドシェル。
【請求項３】
前記固定ねじは、
先端面、
を備え、
前記先端面は、前記溝の底面に当接可能である、
請求項１記載のヘッドシェル。
【請求項４】
前記ヘッドシェル本体は、
前記シリンダが挿通されて、前記シリンダの一部が配置される挿通孔、
を備え、
前記固定ねじは、前記挿通孔内に突出する、
請求項１記載のヘッドシェル。
【請求項５】
前記シリンダは、
前記ヘッドシェル本体を保持する保持部、
を備え、
前記保持部は、
前記シリンダ外周面、
を備える、
請求項１記載のヘッドシェル。
【請求項６】
前記固定ねじは、
前記溝の内側に配置される先端部、
を備え、
前記周方向において、前記先端部と前記溝との間には、前記隙間が形成される、
請求項１記載のヘッドシェル。
【請求項７】
前記先端部は、
面取りされた面取面、
を備える、
請求項６記載のヘッドシェル。
【請求項８】
前記ヘッドシェル本体は、前記固定ねじが前記溝に案内されることにより、前記シリンダの前記軸方向に摺動可能である、
請求項１記載のヘッドシェル。
【請求項９】
前記ヘッドシェル本体の前記シリンダに対する前記周方向の位置の調整を補助する調整補助機構、
を有してなる、
請求項１記載のヘッドシェル。
【請求項１０】
前記調整補助機構は、
第１標識と、
前記第１標識に対して移動可能な第２標識と、
を備え、
前記シリンダは、
前記第１標識、
を備え、
前記ヘッドシェル本体は、
前記第２標識、
を備える、
請求項９記載のヘッドシェル。
【請求項１１】
前記第１標識と前記第２標識とは、前記シリンダの前記軸方向視において、前記シリンダの径方向に並んで配置可能である、
請求項１０記載のヘッドシェル。
【請求項１２】
前記シリンダは、
前記コネクタに着脱可能なコネクタ部と、
前記コネクタ部を前記コネクタに固定可能な突起部と、
を備え、
前記突起部は、前記第１標識として機能する、
請求項１０記載のヘッドシェル。
【請求項１３】
前記コネクタ部は、
円筒状のコネクタ外周面、
を備え、
前記突起部は、前記コネクタ外周面から、前記コネクタ部の径方向に突出する、
請求項１２記載のヘッドシェル。
【請求項１４】
前記ヘッドシェル本体は、
前記シリンダが前記コネクタに取り付けられるとき、前記トーンアーム側に向く背面、
を備え、
前記第２標識は、前記背面に配置される、
請求項１２記載のヘッドシェル。
【請求項１５】
前記シリンダは、前記背面を貫通し、
前記第２標識は、前記シリンダの径方向に沿う、
請求項１４記載のヘッドシェル。
【請求項１６】
前記背面は、
凹部または凸部、
を備え、
前記凹部または前記凸部は、前記第２標識として機能する、
請求項１４記載のヘッドシェル。
【請求項１７】
前記凹部は、前記シリンダの径方向に沿う長溝である、
請求項１６記載のヘッドシェル。
【発明の詳細な説明】
【技術分野】
【０００１】
本発明は、ヘッドシェルに関する。
【背景技術】
【０００２】
レコードプレーヤは、レコード盤の音溝を機械的になぞる針の振動を電気信号に変換することにより、レコード盤に記録された音声信号を再生する。針は、ピックアップカートリッジ（以下「カートリッジ」という。）に取り付けられる。カートリッジは、ヘッドシェルに取り付けられる（例えば、特許文献１参照）。
【０００３】
ヘッドシェルは、カートリッジを保持する。ヘッドシェルは、レコードプレーヤのトーンアームに取り付けられる。ヘッドシェルは、カートリッジからの電気信号をトーンアーム内に配線される信号線に伝送する。
【０００４】
カートリッジの針の先端（針先）は、針の使用時間に応じて、摩耗する。そのため、カートリッジの針は、所定の使用時間ごとに交換される。また、レコードプレーヤの再生する音（再生音）の音質は、カートリッジの種類により異なる。そのため、カートリッジは、レコードプレーヤの使用者の所望する音質に応じて、交換され得る。一般的に、針やカートリッジが交換されるとき、ヘッドシェルは、トーンアームから取り外される。
【０００５】
ヘッドシェル（特に、カートリッジ交換後のヘッドシェル）がトーンアームに取り付けられるとき、レコード盤に対する針先の位置は、適正な位置からずれやすい。レコード盤に対する針先の位置は、いわゆるオーバーハングの調整により、調整される。オーバーハングは、トーンアームの支点と針先との間の距離から、トーンアームの支点とレコード盤の回転中心（スピンドル中心）との間の距離を、差し引いた距離である。オーバーハングが適正でないと、トラッキングエラーや再生音の音質の低下などの不具合が生じ易い。
【０００６】
オーバーハングは、使用者がカートリッジの位置をヘッドシェルに対して移動させることにより、調整される。カートリッジは、底面（平面）視において、ヘッドシェルに対して平行に取り付けられなければならない。そこで、使用者は、オーバーハングの調整において、針先の位置と、ヘッドシェルに対するカートリッジの傾きと、を調整する。
【０００７】
一方、カートリッジがヘッドシェルに取り付けられた状態でオーバーハングの調整を可能とするヘッドシェルが提案されている（例えば、非特許文献１参照）。
【０００８】
非特許文献１に開示されたヘッドシェルは、シリンダとヘッドシェル本体とを備える。シリンダは、コネクタ部と保持部とを備える。コネクタ部は、トーンアームに取り付けられる。保持部は、ヘッドシェル本体を保持する。保持部は、ヘッドシェル本体の後端壁に配置される貫通孔に挿通される。ヘッドシェル本体は、ボルトと止めねじ（いもねじ）とにより、保持部に固定される。
【０００９】
非特許文献１に開示されたヘッドシェルでは、ボルトと止めねじとが緩められると、ヘッドシェル本体は、シリンダに対して移動可能となる。そのため、シリンダがトーンアームに取り付けられた状態において、使用者は、シリンダに対するヘッドシェル本体の位置を調整可能である。したがって、同ヘッドシェルのオーバーハングは、カートリッジがヘッドシェルに取り付けられた状態で調整可能である。
【００１０】
しかしながら、非特許文献１に開示されたヘッドシェルでは、ヘッドシェル本体は、シリンダの軸方向と周方向それぞれに移動可能である。そのため、オーバーハングの調整時に、ヘッドシェル本体は、シリンダに対してシリンダの周方向に回転し易い。すなわち、オーバーハングの調整時に、ヘッドシェル本体は、水平面に対して、しばしば傾いて取り付けられる。ヘッドシェル本体が水平面に対して傾くと、針先は、音溝に対して適正な角度（針の軸線がレコード盤に対して垂直となる角度）で当接し得ない。その結果、再生音の音質の悪化のみならず、使用者の所有物を損なう不具合（例えば、針先の破損やレコード盤が傷付くなど）が生じ得る。したがって、非特許文献１に開示されたヘッドシェルでは、オーバーハングの調整は、ヘッドシェル本体を水平面と平行にする調整（水平度の調整）も必要とする。
【００１１】
ここで、目視により水平度を調整する場合、ヘッドシェルは、目視による調整のための明確な基準となる部位を有していない。そのため、目視による水平度の調整は、容易でない。したがって、日頃からレコードプレーヤを利用している愛用者の間では、水準器を用いた水平度の調整が慣行されている。しかしながら、水準器を用いた水平度の調整を面倒に感じる愛用者は、少なくない。
【００１２】
ところで、近年のレコードブームにより、レコードプレーヤは、愛用者だけでなく、レコードプレーヤを使い慣れていない初心者（若者）にも使用されてきている。愛用者は、前述したオーバーハングの調整の重要性を十分に理解し、同調整に習熟している。そのため、愛用者は、オーバーハングをある程度、調整可能である。一方で、初心者は、オーバーハングの調整の重要性を十分には理解しておらず、オーバーハングの調整に慣れていない。そのため、初心者は水準器の使用に思い至り難く、水準器を所有している初心者は少ない。すなわち、初心者には、オーバーハングの調整（特に、水平度の調整）は、容易でない。
【００１３】
このような問題を解決するため、水平度を含むオーバーハングの調整用の調整機構がヘッドシェルに設けられる場合、追加の部品や加工が必要となる。その結果、ヘッドシェルの生産性は、低下する。
【先行技術文献】
【特許文献】
【００１４】
【特許文献１】特開２０１８−６３７４１号公報
【非特許文献】
【００１５】
【非特許文献１】「AT-LH13/OCC  取扱説明書」、Audio-technica corporation、[online]、[平成３１年４月１１日検索]、インターネット＜https://www.audio-technica.co.jp/items/contents/101/model/AT-LH13_OCC/donwload/AT-LH13OCC_15_18.pdf＞
【発明の概要】
【発明が解決しようとする課題】
【００１６】
本発明は、容易かつ正確にオーバーハングの調整が可能なヘッドシェルを提供することを目的とする。
【課題を解決するための手段】
【００１７】
本発明は、レコードプレーヤのトーンアームのコネクタに着脱可能で、ピックアップカートリッジを保持するヘッドシェルであって、コネクタに着脱可能なシリンダと、シリンダに保持されるヘッドシェル本体と、ヘッドシェル本体をシリンダに固定可能な固定ねじと、を有してなり、シリンダは、円筒状のシリンダ外周面と、シリンダ外周面に、シリンダの軸方向に沿って配置される溝と、を備え、シリンダの周方向において、固定ねじと溝との間には、隙間が形成される、ことを特徴とする。
【発明の効果】
【００１８】
本発明によれば、容易かつ正確にオーバーハングの調整が可能である。
【図面の簡単な説明】
【００１９】
【図１】本発明にかかるヘッドシェルの使用例を示す斜視図である。
【図２】図１のヘッドシェルの実施の形態を示す斜視図である。
【図３】図２のヘッドシェルの分解斜視図である。
【図４】図２のヘッドシェルの背面図である。
【図５】図２のヘッドシェルの図４のＡＡ線における断面図である。
【図６】図２のヘッドシェルの図５のＢＢ線における断面図である。
【図７】図６のヘッドシェルの一部を拡大した拡大断面図である。
【図８】図７のヘッドシェルの一部をさらに拡大した拡大断面図である。
【図９】ピックアップカートリッジが取り付けられた図２のヘッドシェルの底面図である。
【図１０】図４のヘッドシェルの一部を拡大した拡大背面図である。
【発明を実施するための形態】
【００２０】
以下、図面を参照しながら、本発明にかかるヘッドシェルの実施の形態について説明する。
【００２１】
●ヘッドシェル●
図１は、本発明にかかるヘッドシェルの使用例を示す斜視図である。
同図は、ヘッドシェル１と、ピックアップカートリッジ（以下「カートリッジ」という。）Ｃと、レコードプレーヤＰのトーンアームＰ１とターンテーブルＰ２と、ターンテーブルＰ２に載置されるレコード盤Ｒと、を示す。
【００２２】
カートリッジＣは、レコード盤Ｒの音溝をなぞる針Ｃ１を備える。カートリッジＣは、針Ｃ１が音溝をなぞることで生じる針Ｃ１の振動を電気信号に変換する。トーンアームＰ１は、ヘッドシェル１を介してカートリッジＣを支持し、針Ｃ１に一定の圧力（針圧）をかける。トーンアームＰ１は、コネクタＰ１１を備える。コネクタＰ１１は、トーンアームＰ１の先端に配置される。コネクタＰ１１には、ヘッドシェル１が取り付けられる。ターンテーブルＰ２は、レコード盤Ｒを一定の速度で回転させる。
【００２３】
ヘッドシェル１は、カートリッジＣを保持する。換言すれば、ヘッドシェル１は、カートリッジＣをトーンアームＰ１に取り付けるためのアダプタである。カートリッジＣは、取付ねじＣ２，Ｃ３によりヘッドシェル１に取り付けられる（保持される）。ヘッドシェル１は、レコードプレーヤＰのトーンアームＰ１のコネクタＰ１１に取り付けられる。
【００２４】
以下の説明において、「後方」は、トーンアームＰ１に取り付けられたヘッドシェル１に対して、コネクタＰ１１が位置する方向である。「前方」は、ヘッドシェル１が取り付けられたコネクタＰ１１に対して、ヘッドシェル１に保持されたカートリッジＣが位置する方向である。「下方」は、針Ｃ１がレコード盤Ｒの音溝をなぞるとき、ヘッドシェル１に対して、レコード盤Ｒが位置する方向である。「上方」は、使用者が針Ｃ１をレコード盤Ｒから離すとき、ヘッドシェル１を持ち上げる方向である。
【００２５】
●ヘッドシェルの構成
図２は、ヘッドシェル１の実施の形態を示す斜視図である。
図３は、ヘッドシェル１の分解斜視図である。
【００２６】
ヘッドシェル１は、ヘッドシェル本体１０と、シリンダ２０と、緩衝材３０と、絶縁材４０と、第１固定ねじ５０と、第２固定ねじ６０と、フィンガ７０と、フィンガ取付ねじ８０と、を有してなる。
【００２７】
ヘッドシェル本体１０は、カートリッジＣ（図１参照）を保持する。ヘッドシェル本体１０は、側方視において、Ｌ字状である。ヘッドシェル本体１０は、例えば、アルミニウムのような金属製である。ヘッドシェル本体１０は、第１保持部１１と第２保持部１２とを備える。
【００２８】
第１保持部１１は、カートリッジＣ（図１参照）を保持する。第１保持部１１は、前後方向に長い矩形かつ板状である。第１保持部１１は、４つのねじ挿通孔１１ｈ１，１１ｈ２，１１ｈ３，１１ｈ４と、シリンダガイド溝１１１（図５参照）と、を備える。
【００２９】
ねじ挿通孔１１ｈ１−１１ｈ４は、取付ねじＣ２，Ｃ３（図１参照）が挿通される貫通孔である。ねじ挿通孔１１ｈ１−１１ｈ４は、第１保持部１１の前部に配置される。
【００３０】
図４は、ヘッドシェル１の背面図である。
図５は、ヘッドシェル１の図４のＡＡ線における断面図である。
図６は、ヘッドシェル１の図５のＢＢ線における断面図である。
【００３１】
シリンダガイド溝１１１は、後述するシリンダ２０の前後方向の移動を案内する。シリンダガイド溝１１１の内面は、図５に示す断面視において、円弧状である。同内面は、シリンダ２０の外周面（後述する本体保持部２３の外周面２３ａ）に沿う。シリンダガイド溝１１１は、第１保持部１１の後部の下面１１ａに配置される。シリンダガイド溝１１１は、後述する挿通孔１２ｈ１と連通する。
【００３２】
第２保持部１２は、シリンダ２０に保持される。第２保持部１２は、板状である。第２保持部１２は、第１保持部１１に対して下方に直立するように、第１保持部１１の後端に配置される。第２保持部１２は、第１保持部１１と一体である。第２保持部１２は、挿通孔１２ｈ１と、第１ねじ孔１２ｈ２と、第２ねじ孔１２ｈ３と、ねじ挿通孔１２ｈ４と、スリット１２ｇと、調整溝１２１と、を備える。
【００３３】
なお、第２保持部は、第１保持部と別体で構成されてもよい。すなわち、例えば、第２保持部は、ねじなどの連結部材により、第１保持部に連結されてもよい。
【００３４】
挿通孔１２ｈ１は、シリンダ２０が挿通される（シリンダ２０を保持する）貫通孔である。挿通孔１２ｈ１は、背面視において、円形である。挿通孔１２ｈ１は、第２保持部１２の中央に配置される。挿通孔１２ｈ１は、第２保持部１２を前後方向（図５の紙面左右方向）に貫通する。挿通孔１２ｈ１の上部の内周面は、シリンダガイド溝１１１と一体的に形成される。
【００３５】
第１ねじ孔１２ｈ２は、第１固定ねじ５０がねじ込まれる貫通孔である。第１ねじ孔１２ｈ２は、第２保持部１２の右側面の略中央に配置される。第１ねじ孔１２ｈ２は、挿通孔１２ｈ１と連通する。
【００３６】
第２ねじ孔１２ｈ３は、第２固定ねじ６０がねじ込まれる貫通孔である。第２ねじ孔１２ｈ３は、挿通孔１２ｈ１の下方、かつ、第２保持部１２の右側面に配置される。
【００３７】
ねじ挿通孔１２ｈ４は、第２固定ねじ６０が挿通される貫通孔である。ねじ挿通孔１２ｈ４は、挿通孔１２ｈ１の下方、かつ、第２保持部１２の左側面に配置される。ねじ挿通孔１２ｈ４は、第２ねじ孔１２ｈ３と同軸上に配置される。
【００３８】
スリット１２ｇは、第２固定ねじ６０の締付により間隔が変わる隙間である。スリット１２ｇは、第２保持部１２の左右方向の中央、かつ、第２保持部１２の下端部に配置される。スリット１２ｇは、第２保持部１２を前後方向に貫通し、挿通孔１２ｈ１と連通する。スリット１２ｇは、第２ねじ孔１２ｈ３とねじ挿通孔１２ｈ４との間に位置する。第２保持部１２のうち、スリット１２ｇの左右の部分は、左右方向の厚さが薄い薄肉部である。
【００３９】
調整溝１２１は、後述するオーバーハングの調整において、ヘッドシェル本体１０の水平度の調整を補助する。調整溝１２１は、長溝である。調整溝１２１は、第２保持部１２の後面１２ａの左右方向の中央、かつ、挿通孔１２ｈ１の上側に配置される。調整溝１２１は、挿通孔１２ｈ１側から上方に延びる。調整溝１２１は、本発明における第２標識（凹部）である。後面１２ａは、本発明における背面である。調整溝１２１による水平度の調整は、後述する。
【００４０】
図１−図５に戻る。
シリンダ２０は、ヘッドシェル本体１０を保持する。シリンダ２０は、例えば、アルミニウムのような金属製である。シリンダ２０は、挿通孔１２ｈ１に挿通されて、ヘッドシェル本体１０を保持する。シリンダ２０は、コネクタ部２１と、突起部２２と、本体保持部２３と、４つのターミナルピン２４，２５，２６，２７と、を備える。
【００４１】
コネクタ部２１は、ヘッドシェル１とトーンアームＰ１とを機械的に接続し、ターミナルピン２４−２７とトーンアームＰ１の信号線とを電気的に接続する。コネクタ部２１は、円柱状で、円筒状の外周面２１ａを備える。外周面２１ａは、本発明におけるコネクタ外周面である。コネクタ部２１は、コネクタＰ１１に取り付けられる。
【００４２】
突起部２２は、コネクタ部２１をコネクタＰ１１に固定する。突起部２２は、円柱状である。突起部２２は、外周面２１ａの一部が外周面２１ａからコネクタ部２１の径方向に突出することにより、形成される。突起部２２は、外周面２１ａの上面（上端面）に、上下方向に沿って配置される。突起部２２は、本発明における第１標識である。
【００４３】
コネクタ部２１は、いわゆるＢＮＣ（Bayonet Neill Concelman）コネクタと同様のバヨネット式の取付方式により、コネクタＰ１１に取り付けられる。すなわち、突起部２２がコネクタＰ１１のロック溝（不図示）の奥に到達することにより、コネクタ部２１は、コネクタＰ１１に取り付けられる。一方、突起部２２がロック溝から離れることにより、コネクタ部２１は、コネクタＰ１１から取り外される。つまり、突起部２２はコネクタ部２１をコネクタＰ１１に固定可能であり、コネクタ部２１はコネクタＰ１１に着脱可能である。
【００４４】
本体保持部２３は、挿通孔１２ｈ１に挿通されて、ヘッドシェル本体１０を保持する。本体保持部２３は、後述するオーバーハングの調整において、ヘッドシェル本体１０の移動軸および回転軸として機能する。本体保持部２３は、前端に開口を有する有底円筒状である。本体保持部２３は、本発明における保持部である。本体保持部２３は、円筒状の外周面２３ａと、ねじガイド溝２３ｂと、を備える。外周面２３ａは、本発明におけるシリンダ外周面である。
【００４５】
本体保持部２３の外径は、コネクタ部２１の外径よりも大きい。本体保持部２３は、コネクタ部２１の前方に配置され、コネクタ部２１と一体に構成される。背面視において、本体保持部２３の中心の位置は、コネクタ部２１の中心の位置と同じである。すなわち、シリンダ２０の中心軸線２０ｘは、コネクタ部２１の中心軸線２１ｘと本体保持部２３の中心軸線２３ｘそれぞれと重畳する。各中心軸線２０ｘ，２１ｘ，２３ｘは、前後方向（図５の紙面左右方向）に平行である。したがって、シリンダ２０（コネクタ部２１，本体保持部２３）の軸方向は、前後方向である。
【００４６】
図７は、図６の一部を拡大した拡大断面図である。
図８は、図７の一部をさらに拡大した拡大断面図である。
図７は、第１固定ねじ５０が緩められた状態を二点鎖線で示す。
【００４７】
ねじガイド溝２３ｂは、後述する第１固定ねじ５０の先端部５１を前後方向に案内すると共に、シリンダ２０の周方向における先端部５１の移動（回転）を制限する。ねじガイド溝２３ｂは、本発明における溝である。ねじガイド溝２３ｂは、図３に示されるように、外周面２３ａの右側面に配置される。右側面は、外周面２３ａのうち、針Ｃ１（図１参照）がレコード盤Ｒ（図１参照）の音溝をなぞるとき、レコード盤Ｒの中心側に向けられる面である。ねじガイド溝２３ｂは、シリンダ２０の軸方向（前後方向）に沿うように、本体保持部２３の前端から後端まで延びる。ねじガイド溝２３ｂは、底面２３ｂ１と、底面２３ｂ１の上端に配置される上側面２３ｂ２と、底面２３ｂ１の下端に配置される下側面２３ｂ３と、から構成される。
【００４８】
図１−図６に戻る。
ターミナルピン２４−２７は、カートリッジＣからの電気信号をトーンアームＰ１の信号線（不図示）に伝送する。信号線は、トーンアームＰ１の内部に配線される。ターミナルピン２４−２７は、例えば、銅のような導電性に優れる金属製である。ターミナルピン２４−２７は、コネクタ部２１と絶縁材４０とを前後方向に貫通して、コネクタ部２１に固定される。ターミナルピン２４−２７は、コネクタ部２１がコネクタＰ１１に取り付けられたとき、コネクタＰ１１の端子（不図示）に接続される。カートリッジＣからの電気信号は、ターミナルピン２４−２７と同端子とを介して、トーンアームＰ１の信号線に伝送される。
【００４９】
シリンダ２０は、挿通孔１２ｈ１に後方から挿通されて、後面１２ａ（第２保持部１２）を貫通する。このとき、本体保持部２３の前後方向の略中央部は、挿通孔１２ｈ１内に配置される。その結果、ヘッドシェル本体１０は、シリンダ２０に保持される。本体保持部２３の前上部は、シリンダガイド溝１１１内に配置される。ねじガイド溝２３ｂの底面２３ｂ１（図８参照）は、第１ねじ孔１２ｈ２に対向する。本体保持部２３の後部は、第２保持部１２から後方に突出する。コネクタ部２１は、第２保持部１２の後方に配置される。突起部２２は、第２保持部１２の後方に、第２保持部１２から離間して配置される。
【００５０】
以下の説明において、「軸方向」は、特に記載がなければ、シリンダ２０の軸方向（前後方向）を示す。「軸方向視」は、特に記載がなければ、シリンダ２０の軸方向視（正面視または背面視）を示す。「周方向」は、特に記載がなければ、シリンダ２０の周方向を示す。「径方向」は、特に記載がなければ、シリンダ２０の径方向を示す。
【００５１】
突起部２２は、軸方向視において、調整溝１２１の下方に配置される。調整溝１２１が上下方向に沿って配置されるとき、突起部２２と調整溝１２１とは、軸方向視において、シリンダ２０の径方向に並んで配置される。このとき、調整溝１２１の中心線１２１ｘは、軸方向視において、突起部２２の中心軸線２２ｘと重畳する。中心線１２１ｘは、軸方向視において、調整溝１２１の左右方向の中心を通る直線である。中心線１２１ｘと中心軸線２２ｘとは、中心軸線２０ｘに直交する。すなわち、調整溝１２１は、軸方向視において、後面１２ａに径方向に沿って配置される。そのため、使用者は、シリンダ２０に対してヘッドシェル本体１０を回転させるとき、突起部２２に対する調整溝１２１の位置を目視で確認することにより、シリンダ２０に対するヘッドシェル本体１０の周方向の位置を調整可能である。このように、調整溝１２１と突起部２２とは、ヘッドシェル本体１０のシリンダ２０に対する周方向の位置の調整を補助する調整補助機構として機能する。
【００５２】
緩衝材３０は、コネクタ部２１がコネクタＰ１１（図１参照）に取り付けられるとき、コネクタＰ１１とシリンダ２０（本体保持部２３の後面）それぞれを保護する。緩衝材３０は、例えば、ゴムのような合成樹脂製であり、リング状かつ板状である。緩衝材３０は、コネクタ部２１の前端の外周面２１ａに取り付けられ、本体保持部２３の後面に当接する。
【００５３】
絶縁材４０は、ターミナルピン２４−２７それぞれの間を絶縁する。絶縁材４０は、例えば、合成樹脂製であり、円板状である。絶縁材４０は、コネクタ部２１の後面に取り付けられる。
【００５４】
図６−図８に戻る。
第１固定ねじ５０は、ヘッドシェル本体１０をシリンダ２０に固定すると共に、周方向におけるヘッドシェル本体１０の移動（回転）を制限する。第１固定ねじ５０は、平先型の止めねじで、平面状の先端面５０ａを備える。第１固定ねじ５０は、例えば、ステンレス鋼製である。
【００５５】
第１固定ねじ５０の先端の外周面は、面取りされた面取面５０ｂである。第１固定ねじ５０は、第２保持部１２の第１ねじ孔１２ｈ２にねじ込まれる。第１固定ねじ５０の先端は、第１ねじ孔１２ｈ２から挿通孔１２ｈ１内に突出して、ねじガイド溝２３ｂ内に配置される。第１固定ねじ５０の中心軸線５０ｘは、中心軸線２０ｘに直交する。
【００５６】
第１固定ねじ５０のうち、ねじガイド溝２３ｂ内に配置される部分（以下「先端部５１」という。）は、本発明における先端部である。すなわち、第１固定ねじ５０は、先端部５１を備える。本実施の形態において、先端部５１は、先端面５０ａと面取面５０ｂとを備える。
【００５７】
周方向において、先端部５１とねじガイド溝２３ｂとの間には、隙間Ｇ１，Ｇ２が形成される。隙間Ｇ１は、先端部５１と上側面２３ｂ２との間に形成される。隙間Ｇ２は、先端部５１と下側面２３ｂ３との間に形成される。
【００５８】
第１固定ねじ５０が締め付けられると、第１固定ねじ５０の先端面５０ａは、ねじガイド溝２３ｂの底面２３ｂ１に当接する。すなわち、第１固定ねじ５０は、ねじガイド溝２３ｂの底面２３ｂ１に当接可能である。このとき、ヘッドシェル本体１０は、第１固定ねじ５０により、シリンダ２０に固定される。先端面５０ａが底面２３ｂ１に当接するとき、隙間Ｇ１，Ｇ２の周方向の長さは、最も短い。一方、第１固定ねじ５０が緩められると、先端面５０ａは、底面２３ｂ１から離れる。その結果、第１固定ねじ５０によるヘッドシェル本体１０のシリンダ２０への固定は、解除される。このように、第１固定ねじ５０は、ヘッドシェル本体１０をシリンダ２０に固定可能である。換言すれば、第１固定ねじ５０は、シリンダ２０をヘッドシェル本体１０に固定可能である。
【００５９】
第２固定ねじ６０は、スリット１２ｇの間隔を変化させる。第２固定ねじ６０は、例えば、頭部を有するボルトであり、例えばステンレス鋼製である。第２固定ねじ６０は、第２保持部１２のねじ挿通孔１２ｈ４に挿通されて、第３ねじ孔１２ｈ３にねじ込まれる。
【００６０】
第２固定ねじ６０が締め付けられると、スリット１２ｇの間隔は、狭くなる。したがって、挿通孔１２ｈ１は、挿通孔１２ｈ１の内側に向かって僅かに変形する（挿通孔１２ｈ１の径が小さくなる）。このとき、挿通孔１２ｈ１がシリンダ２０を締め付ける力（以下「締付力」という。）は、増加する。その結果、ヘッドシェル本体１０は、シリンダ２０に固定される。一方、第２固定ねじ６０が緩められると、スリット１２ｇの間隔は、広くなり、元の間隔に戻る。その結果、挿通孔１２ｈ１は、変形前の状態に戻る。このとき、締付力は、低下する。その結果、ヘッドシェル本体１０のシリンダ２０への固定は、解除される。
【００６１】
図１−図３に戻る。
フィンガ７０は、使用者が針Ｃ１をレコード盤Ｒから持ち上げて移動させるために、使用者の指を掛ける部品である。フィンガ７０は、フィンガ取付ねじ８０により、ヘッドシェル本体１０の左側面に取り付けられる。
【００６２】
●ヘッドシェル本体とシリンダとの関係
次に、図５−図８を参照しながら、ヘッドシェル本体１０とシリンダ２０との関係について説明する。
【００６３】
前述のとおり、第１固定ねじ５０と第２固定ねじ６０それぞれが緩められると、ヘッドシェル本体１０のシリンダ２０への固定は、解除される。
【００６４】
シリンダ２０は、挿通孔１２ｈ１とシリンダガイド溝１１１とに沿って、ヘッドシェル本体１０に対して周方向に回転可能である。このとき、シリンダ２０は、中心軸線２０ｘを中心に、挿通孔１２ｈ１とシリンダガイド溝１１１とに沿って回転する。
【００６５】
一方、ヘッドシェル本体１０は、外周面２３ａに沿って、シリンダ２０に対して周方向に回転可能である。このとき、ヘッドシェル本体１０は、シリンダ２０を回転軸として、外周面２３ａに沿って回転する。ヘッドシェル本体１０の回転の範囲は、先端部５１がねじガイド溝２３ｂに当接することにより、制限される。具体的には、ヘッドシェル本体１０は、先端部５１が上側面２３ｂ２に当接するまで、後方視において、反時計回りに回転可能である。すなわち、ヘッドシェル本体１０は、隙間Ｇ１の周方向の長さに応じた角度θ１の角度範囲でのみ、回転可能である。反対に、ヘッドシェル本体１０は、先端部５１が下側面２３ｂ３に当接するまで、後方視において、時計回りに回転可能である。すなわち、ヘッドシェル本体１０は、隙間Ｇ２の周方向の長さに応じた角度θ２の角度範囲でのみ、回転可能である。本実施の形態において、ヘッドシェル本体１０は、時計回りと反時計回りそれぞれに約２°の角度範囲でのみ回転可能である。
【００６６】
また、シリンダ２０は、挿通孔１２ｈ１とシリンダガイド溝１１１とに沿って、ヘッドシェル本体１０に対して軸方向（前後方向）に移動（摺動）可能である。
【００６７】
一方、ヘッドシェル本体１０は、シリンダ２０の本体保持部２３に沿って、シリンダ２０に対して軸方向に移動（摺動）可能である。このとき、先端部５１は、ねじガイド溝２３ｂに案内されて、軸方向に移動する。前述のとおり、先端部５１は、ヘッドシェル本体１０が周方向に回転すると、ねじガイド溝２３ｂに当接する。そのため、先端部５１は、ねじガイド溝２３ｂ内を略軸方向にのみ移動可能である。したがって、ヘッドシェル本体１０は、シリンダ２０に対して、略軸方向にのみ移動可能である。
【００６８】
ヘッドシェル本体１０は、第１固定ねじ５０と第２固定ねじ６０のいずれかが締め付けられると、シリンダ２０に固定される。
【００６９】
●オーバーハングの調整方法
次に、図１から図４も参照しながら、ヘッドシェル１にカートリッジＣを取り付ける際のオーバーハングの調整方法について、説明する。オーバーハングの調整方法は、カートリッジＣの針Ｃ１の先端（針先）の位置の調整と、ヘッドシェル本体１０の水平度の調整と、を含む。オーバーハングは、レコードプレーヤＰの使用者により調整される。
【００７０】
図９は、カートリッジＣが取り付けられたヘッドシェル１の底面図である。
【００７１】
先ず、使用者は、取付ねじＣ２，Ｃ３を用いて、カートリッジＣをヘッドシェル１の第１保持部１１の下面１１ａに取り付ける。このとき、カートリッジＣは、底面視において、カートリッジＣの側面が第１保持部１１の側面と平行になるように、ヘッドシェル１に対して位置決めされる。
【００７２】
次いで、使用者は、ヘッドシェル１をトーンアームＰ１のコネクタＰ１１に取り付ける。このとき、コネクタ部２１は、突起部２２とコネクタＰ１１のロック溝とにより、コネクタＰ１１に固定される。後面１２ａは、トーンアームＰ１側を向く。
【００７３】
次いで、使用者は、第１固定ねじ５０と第２固定ねじ６０とを緩める。その結果、ヘッドシェル本体１０のシリンダ２０への固定は、解除される。したがって、ヘッドシェル本体１０は、シリンダ２０に対して軸方向に移動可能となる。また、ヘッドシェル本体１０は、シリンダ２０を回転軸に周方向に隙間Ｇ１，Ｇ２（図８参照）に対応する角度範囲で回転可能となる。すなわち、調整溝１２１は、突起部２２に対して移動可能（回転可能）となる。
【００７４】
次いで、使用者は、ヘッドシェル本体１０を前後方向に移動させて、カートリッジＣの針Ｃ１の針先の位置を適正な位置Ｐａに合わせる。その結果、針先の位置は、適正な位置Ｐａに調整される。
【００７５】
図９に示される例では、使用者がヘッドシェル本体１０を前方に移動させることにより、針先の位置が適正な位置Ｐａに調整される。このとき、ヘッドシェル本体１０は、先端部５１がねじガイド溝２３ｂに案内されることにより、軸方向に自由に移動可能である。一方、ヘッドシェル本体１０は、先端部５１がねじガイド溝２３ｂ（上側面２３ｂ２，下側面２３ｂ３：図８参照）に当接するまでは周方向に回転可能である。そのため、使用者がヘッドシェル本体１０を移動させたとき、ヘッドシェル本体１０は、シリンダ２０に対して大きく回転しない。その結果、ヘッドシェル本体１０の水平度は、大きく変化しない。
【００７６】
次いで、使用者は、第１固定ねじ５０と第２固定ねじ６０とを締め付ける。その結果、ヘッドシェル本体１０は、シリンダ２０に固定される。
【００７７】
次いで、使用者は、ヘッドシェル１をトーンアームＰ１のコネクタＰ１１から取り外す。
【００７８】
次いで、使用者は、第１固定ねじ５０を緩めると共に、第２固定ねじ６０を僅かに緩める。このとき、挿通孔１２ｈ１は、所定の締付力でシリンダ２０（本体保持部２３）を保持する。使用者がヘッドシェル本体１０に締付力を超える力を加えると、ヘッドシェル本体１０は、シリンダ２０に対して移動可能となる。換言すれば、ヘッドシェル本体１０は、使用者がヘッドシェル本体１０に締結力を超える力を加えない限り、シリンダ２０に対して移動しない。
【００７９】
図１０は、ヘッドシェル１を部分的に拡大した拡大背面図である。
同図は、ヘッドシェル本体１０とシリンダ２０と緩衝材３０と絶縁材４０と第１固定ねじ５０それぞれを部分的に切り欠いた状態を示す。また、同図は、ヘッドシェル本体１０とシリンダ２０と第１固定ねじ５０それぞれを、図５のＢＢ線において切断した状態を示す。さらに、同図は、シリンダ２０に対してヘッドシェル本体１０が最大限回転したときの突起部２２とねじガイド溝２３ｂそれぞれを二点鎖線で示す。
【００８０】
次いで、使用者は、ヘッドシェル本体１０の水平度を調整する。ヘッドシェル本体１０の水平度は、調整溝１２１と突起部２２とを用いて、調整される。
【００８１】
次いで、使用者は、調整溝１２１に対する突起部２２の位置を目安に、ヘッドシェル本体１０を回転させる。具体的には、使用者は、調整溝１２１と突起部２２とが径方向で並んで配置されるように（調整溝１２１の中心線１２１ｘが突起部２２の中心軸線２２ｘに重畳するように）、調整溝１２１と突起部２２とを見ながらヘッドシェル本体１０を回転させる。その結果、ヘッドシェル本体１０の水平度は、凡そ調整される。
【００８２】
次いで、使用者は、第１固定ねじ５０と第２固定ねじ６０とを締め付ける。
【００８３】
次いで、使用者は、ヘッドシェル１をトーンアームＰ１のコネクタＰ１１に取り付ける。その結果、使用者によるオーバーハングの調整は、完了する。
【００８４】
このように、使用者は、オーバーハングの調整時に水平度を大きく変動させることなく、針先の位置を調整可能である。また、使用者は、目視により、ヘッドシェル本体１０の水平度を凡そ調整可能である。
【００８５】
●まとめ●
以上説明した実施の形態によれば、ヘッドシェル１は、コネクタＰ１１に着脱可能なシリンダ２０と、シリンダ２０に保持されるヘッドシェル本体１０と、ヘッドシェル本体１０をシリンダ２０に固定可能な第１固定ねじ５０と、を有してなる。シリンダ２０の本体保持部２３は、外周面２３ａに軸方向に沿って配置されるねじガイド溝２３ｂを備える。第１固定ねじ５０の一部（先端部５１）は、ねじガイド溝２３ｂの内側に配置される。周方向において、第１固定ねじ５０とねじガイド溝２３ｂとの間には、隙間Ｇ１，Ｇ２が形成される。
【００８６】
この構成によれば、第１固定ねじ５０の周方向の移動は、ねじガイド溝２３ｂ内に制限される。そのため、ヘッドシェル本体１０は、隙間Ｇ１，Ｇ２に対応する角度範囲のみシリンダ２０に対して周方向に回転可能である。一方、ヘッドシェル本体１０は、第１固定ねじ５０がねじガイド溝２３ｂに案内されることにより、シリンダ２０に対して軸方向（前後方向）に摺動可能である。すなわち、ヘッドシェル本体１０は、シリンダ２０に対して大きな角度範囲で周方向に回転することなく、略軸方向にのみ移動可能である。その結果、使用者は、オーバーハングの調整時に水平度を大きく変動させることなく、針先の位置を調整可能である。このように、ヘッドシェル１は、従来のヘッドシェルと比較して、オーバーハングの容易かつ正確な調整を可能とする。
【００８７】
また、ヘッドシェル１には、従来のヘッドシェルに対して、シリンダ２０（本体保持部２３）の外周面２３ａにねじガイド溝２３ｂが追加（形成）されている。その結果、ヘッドシェル１は、ヘッドシェル本体１０の周方向の回転を制限しつつ、軸方向の移動を容易にする。すなわち、ヘッドシェル１は、従来のヘッドシェルに対して、第１固定ねじ５０に合わせたねじガイド溝２３ｂを形成するだけで、オーバーハングの容易な調整を可能とする。すなわち、ヘッドシェル１は、不要な振動の要因となり得る部品の追加を必要としない。その結果、従来のヘッドシェルと比較して、ヘッドシェル１の生産性は、ほとんど低下しない。
【００８８】
また、以上説明した実施の形態によれば、第１固定ねじ５０の先端面５０ａは、第１固定ねじ５０が締め付けられるとき、ねじガイド溝２３ｂの底面２３ｂ１に当接可能である。先端面５０ａが底面２３ｂ１に当接するとき、隙間Ｇ１，Ｇ２は、依然として形成されている。そのため、ヘッドシェル本体１０は、第１固定ねじ５０が締め付けられるとき、第１固定ねじ５０から周方向への力を受けることなく、第１固定ねじ５０によりシリンダ２０に固定される。
【００８９】
さらに、以上説明した実施の形態によれば、第１固定ねじ５０の先端部５１は、ねじガイド溝２３ｂの内側に配置される。先端部５１は、面取面５０ｂを備える。一般的に、ねじの先端の寸法（径）は規格化されておらず、不完全ねじ部の存在などにより、先端の寸法の公差は大きい。そのため、面取面を有さないねじでは、隙間の寸法がばらつく。しかし、先端部５１に面取面５０ｂが形成されると、先端部５１の先端面５０ａ側には、不完全ねじ部の無い円錐面が形成される。そのため、面取面を有さないねじと比較して、面取面５０ｂを有する第１固定ねじ５０では、隙間Ｇ１，Ｇ２の寸法ばらつきは低減される。
【００９０】
さらにまた、以上説明した実施の形態によれば、ヘッドシェル１は、ヘッドシェル本体１０のシリンダ２０に対する周方向の位置の調節を補助する調節補助機構を備える。そのため、使用者は、目視で調節補助機構を確認することにより、シリンダ２０に対するヘッドシェル本体１０の周方向の位置（ヘッドシェル本体１０の水平度）を容易に調整可能である。すなわち、ヘッドシェル１は、従来のヘッドシェルと比較して、オーバーハングの容易な調整を可能とする。
【００９１】
さらにまた、以上説明した実施の形態によれば、調節補助機構は、第１標識（突起部２２）と第２標識（調整溝１２１）とを備える。シリンダ２０は第１標識を備え、ヘッドシェル本体１０は第２標識を備える。第２標識は、第１標識に対して移動可能である。そのため、使用者は、目視で第１標識に対する第２標識の位置を確認することにより、ヘッドシェル１の水平度を容易に調整可能である。
【００９２】
さらにまた、以上説明した実施の形態によれば、第１標識と第２標識とは、シリンダ２０の径方向に並んで配置可能である。そのため、使用者は、目視で第１標識と第２標識とが径方向に並ぶようにヘッドシェル本体１０を回転させることにより、ヘッドシェル本体１０の水平度を容易に調整可能である。
【００９３】
さらにまた、以上説明した実施の形態によれば、コネクタＰ１１とコネクタ部２１との接続に用いられる突起部２２は、第１標識として機能する。そのため、ヘッドシェル１は、従来のヘッドシェルに対して不要な振動の要因になり得る部品を追加することなく、目視でヘッドシェル本体１０の水平度を調整可能とする。
【００９４】
さらにまた、以上説明した実施の形態によれば、第２標識は、第２保持部１２の後面１２ａに配置され、シリンダ２０の径方向に沿う。そのため、使用者は、ヘッドシェル１を後方から見て、目視でヘッドシェル本体１０の水平度を容易に調整可能である。
【００９５】
さらにまた、以上説明した実施の形態によれば、第２標識は、径方向に沿う長溝である。そのため、使用者は、第２標識の中心線１２１ｘを突起部２２の中心軸線２２ｘに合わせるように、ヘッドシェル本体１０を回転させることで、目視でヘッドシェル本体１０の水平度を容易に調整可能である。
【００９６】
このように、ヘッドシェル１は、ねじガイド溝２３ｂの内側に配置される先端部５１によりヘッドシェル本体１０の回転を制限し、突起部２２に対する調整溝１２１の位置を目視で確認することにより、オーバーハングの容易な調整を可能とする。
【００９７】
また、前述のとおり、調整溝１２１は上下方向に沿う溝であり、ねじガイド溝２３ｂは前後方向に沿う溝である。調整溝１２１とねじガイド溝２３ｂとは、使用者に視認されるヘッドシェル１の外面（後面１２ａ，外周面２３ａ）に配置される。すなわち、調整溝１２１とねじガイド溝２３ｂとは、上下方向と前後方向とに互い違いの２つの溝として、ヘッドシェル１の外観上に現れる。その結果、ヘッドシェル１は、ヘッドシェル１の需要者に対して、従来のヘッドシェルとは異なる美感を起こさせる。
【００９８】
なお、ねじガイド溝は、軸方向に沿って配置されればよく、本体保持部の前端と後端とに配置されなくてもよい。すなわち、例えば、ねじガイド溝は、本体保持部の軸方向の長さの半分程度の長さに構成されてもよい。この場合、第１固定ねじと第２固定ねじそれぞれが緩められている状態において、ヘッドシェル本体のシリンダからの脱落は、防止可能である。
【００９９】
また、軸方向視において、ねじガイド溝の周方向の長さは、第１固定ねじの外径以下でもよい。
【０１００】
さらに、軸方向視において、ねじガイド溝の周方向の長さは、第１固定ねじの外径よりも大きくてもよい。この場合、例えば、第１固定ねじの先端部が完全ねじ部を含んでいても、ヘッドシェル本体は、シリンダに対して大きな角度範囲で回転することなく、略軸方向にのみ移動可能である。
【０１０１】
さらにまた、第１固定ねじが締め付けられるとき、第１固定ねじの先端面は、ねじガイド溝の底面に当接しなくてもよい。換言すれば、ヘッドシェル本体が第１固定ねじによりシリンダに固定されるとき、周方向において、第１固定ねじは、ねじガイド溝に当接してもよい。この場合、例えば、隙間は、第１固定ねじが緩められるときに形成される。ヘッドシェル本体の水平度の調整後、第１固定ねじは、ヘッドシェル本体がシリンダに対して周方向に移動しない程度に、締め付けられる。
【０１０２】
さらにまた、第１固定ねじの先端は、平先型に限定されない。すなわち、例えば、第１固定ねじは、とがり先（剣先）型や、丸先型、くぼみ先型、棒先型など種々の先端形状を有する止めねじでもよい。
【０１０３】
さらにまた、第１固定ねじと第２固定ねじそれぞれの材質は、本実施の形態に限定されない。
【０１０４】
さらにまた、第１固定ねじは、止めねじに限定されない。すなわち、例えば、第１固定ねじは、頭部を有するボルトでもよい。
【０１０５】
さらにまた、第１ねじ孔の配置は、本実施の形態に限定されない。すなわち、例えば、第１ねじ孔は、第２保持部の左側面や上面に配置されてもよい。この場合、ねじガイド溝は、シリンダが挿通孔に挿通されるとき、シリンダの外周面のうち、第１ねじ孔に対向する位置に配置される。
【０１０６】
さらにまた、第１標識は、突起部に限定されない。すなわち、例えば、ターミナルピンが第１標識として機能してもよい。この場合、例えば、使用者は、４つのターミナルピンと調整溝との位置関係を目安にヘッドシェル本体の水平度を調整する。
【０１０７】
さらにまた、第１標識として機能する溝、または、円形、多角形、星形、矢印などの図形や記号が、絶縁材の後面に配置されてもよい。この場合、シリンダが絶縁材を備えてもよい。
【０１０８】
さらにまた、ヘッドシェルが緩衝材を備えない場合（あるいは、緩衝材が取り外される場合）、本体保持部の後面に第１標識として機能する溝、図形、記号が配置されてもよい。
【０１０９】
さらにまた、シリンダの外周面に、第１標識として機能する溝や凹部が配置されてもよい。すなわち、例えば、調整溝と同じ幅の長溝が、シリンダの外周面に軸方向に沿って配置されてもよい。この場合、使用者は、例えば、ヘッドシェルを上方から見て、ヘッドシェル本体の水平度を調整する。
【０１１０】
さらにまた、第２標識は、第１標識に対する周方向の調整用の目印であればよく、径方向に沿う形状に限定されない。すなわち、例えば、第２標識は、図形や記号でもよい。
【０１１１】
さらにまた、第２標識として機能する凸部が、第２保持部の後面に配置されてもよい。
【０１１２】
さらにまた、第２標識は、第２保持部の後面の凹部または凸部により形成されなくてもよい。すなわち、例えば、第２標識は、後面に塗布される塗料や、後面に貼り付けられるシールでもよい。また、第２保持部のスリットが第２標識として機能してもよい。
【０１１３】
さらにまた、第２標識の数は、１つに限定されない。すなわち、例えば、第２標識は、周方向に並ぶ複数の目盛りでもよい。
【０１１４】
さらにまた、第２標識は、第２保持部の上面に配置されてもよい。この場合、使用者は、例えば、ヘッドシェルを上方から見て、ヘッドシェル本体の水平度を調整する。
【０１１５】
さらにまた、第２標識は、第２保持部の右側面に配置されてもよい。この場合、ねじガイド溝は、第１標識として機能する。
【０１１６】
さらにまた、第１標識と第２標識とは、軸方向視において、径方向に並んで配置可能であればよい。すなわち、例えば、第１標識と第２標識とは、左右方向に並んで配置可能でも良い。
【０１１７】
さらにまた、第１標識と第２標識とは、上面視において、前後方向に沿う直線状の凹部または凸部により構成されてもよい。すなわち、例えば、第１標識は第２保持部の上面の左右方向中央に配置され、第２標識は保持部の上端面に配置されてもよい。
【０１１８】
さらにまた、以上説明した実施の形態は、特許請求の範囲に記載される発明の内容を不当に限定するものではない。また、以上説明した実施の形態で説明される構成の全てが、本開示の必須構成要件であるとは限らない。
【符号の説明】
【０１１９】
１          ヘッドシェル
１０        ヘッドシェル本体
１２ａ      後面（背面）
１２ｈ１    挿通孔
１２１      調整溝（第２標識、調整補助機構）
２０        シリンダ
２１        コネクタ部
２２        突起部（第１標識、調整補助機構）
２３        本体保持部
２３ａ      外周面（シリンダ外周面）
２３ｂ      ねじガイド溝（溝）
２３ｂ１    底面
５０        第１固定ねじ（固定ねじ）
５０ａ      先端面
５１        先端部
Ｇ１，Ｇ２  隙間
Ｃ          ピックアップカートリッジ
Ｐ          レコードプレーヤ
Ｐ１        トーンアーム
Ｐ１１      コネクタ
【図１】
2020184390.tif 000003
【図２】
2020184390.tif 000004
【図３】
2020184390.tif 000005
【図４】
2020184390.tif 000006
【図５】
2020184390.tif 000007
【図６】
2020184390.tif 000008
【図７】
2020184390.tif 000009
【図８】
2020184390.tif 000010
【図９】
2020184390.tif 000011
【図１０】
2020184390.tif 000012